【手続補正書】
【提出日】平成18年6月6日(2006.6.6)
【手続補正１】
【補正対象書類名】明細書
【補正対象項目名】特許請求の範囲
【補正方法】変更
【補正の内容】
【特許請求の範囲】
【請求項１】  Ｉ．（Ａ）（ｉ）式（Ｉ）：
【化１】
2002518536.tif 000001
（式中、Ｒ1 ，Ｒ2 ，Ｒ3 及びＲ4 は、各々独立して、水素原子、炭素数１〜６のアルキル基、炭素数１〜６のアルコキシ基、フェニル基、塩素原子、臭素原子又はフッ素原子を表わす）
によって表わされるフェニレンジ（オキシ酢酸）又は式（Ｉ）のフェニレンジ（オキシ酢酸）のエステル誘導体５〜９９モル％；
（ii）テレフタル酸、イソフタル酸、ナフタレンジカルボン酸、シクロヘキサンジカルボン酸もしくはそれらのエステル、またはそれらの混合物からなる第２の二酸の反復単位１〜９５モル％
を含むジカルボン酸成分の反復単位；及び
（Ｂ）炭素数２４以下のジオールの反復単位
を含んでなる成分の反応生成物であるコポリエステル５〜８５重量％；ならびに
II．ポリ（エチレンテレフタレート）の熱可塑性ポリエステル；０超〜７０モル％のジエチレングリコール、プロパンジオール、ブタンジオール、ヘキサンジオール若しくは１，４−シクロヘキサンジメタノールからなるグリコール及び／又はイソフタル酸若しくはナフタレンジカルボン酸からなるジカルボン酸で改質されたポリ（エチレンテレフタレート）のコポリエステル；又はポリ（エチレンテレフタレート）コポリエステルとポリ（エチレンテレフタレート）との混合物９５〜１５重量％；
ポリ（エチレンナフタレート）のポリエステル；０超〜３０モル％のジエチレングリコール、プロパンジオール、ブタンジオール、ヘキサンジオール若しくは１，４−シクロヘキサンジメタノールからなるグリコール及び／又はイソフタル酸若しくはテレフタル酸からなるジカルボン酸で改質されたポリ（エチレンナフタレート）コポリエステル又はポリ（エチレンナフタレート）コポリエステルとポリ（エチレンナフタレート）との混合物９５〜１５重量％；
ポリ（ブチレンテレフタレート）９５〜１５重量％；
ポリ（トリメチレンテレフタレート）９５〜１５重量％；又は
ポリ（ブチレンナフタレート）９５〜１５重量％
を含んでなるポリエステルブレンド組成物。
【請求項２】  前記式（Ｉ）が、１，２−フェニレンジ（オキシ酢酸）、１，３−フェニレンジ（オキシ酢酸）、１，４−フェニレンジ（オキシ酢酸）、２−メチル−１，３−フェニレンジ（オキシ酢酸）、５−メチル−１，３−フェニレンジ（オキシ酢酸）、４−メチル−１，３−フェニレンジ（オキシ酢酸）、５−エチル−１，３−フェニレンジ（オキシ酢酸）、４−エチル−１，３−フェニレンジ（オキシ酢酸）、５−メトキシ−１，３−フェニレンジ（オキシ酢酸）、４−メトキシ−１，３−フェニレンジ（オキシ酢酸）、４−クロロ−１，２−フェニレンジ（オキシ酢酸）若しくは４−クロロ−１，３−フェニレンジ（オキシ酢酸）又はそれらのエステルである請求項１に記載のポリエステルブレンド組成物。
【請求項３】  前記式（Ｉ）が、１，２−フェニレンジ（オキシ酢酸）、１，３−フェニレンジ（オキシ酢酸）、１，４−フェニレンジ（オキシ酢酸）又はそれらのエステルである請求項１に記載のポリエステルブレンド組成物。
【請求項４】  前記成分IIが、ポリ（エチレンテレフタレート）のポリエステル又はコポリエステルを含む請求項１に記載のポリエステルブレンド組成物。
【請求項５】  前記成分IIが、ポリ（エチレンナフタレート）のポリエステル又はコポリエステルを含む請求項１に記載のポリエステルブレンド組成物。
【請求項６】  前記成分IIが、ポリ（ブチレンテレフタレート）を含む請求項１に記載のポリエステルブレンド組成物。
【請求項７】  前記成分IIが、ポリ（トリメチレンテレフタレート）を含む請求項１に記載のポリエステルブレンド組成物。
【請求項８】  前記成分IIが、ポリ（ブチレンテレフタレート）を含む請求項１に記載のポリエステルブレンド組成物。
【請求項９】  成分（ＩＡｉ）が、フェニレンジ（オキシ酢酸）Ｃ1〜Ｃ4アルキルエステルである請求項１に記載のポリエステルブレンド組成物。
【請求項１０】  前記ジオール成分（ＩＢ）が、エチレングリコール、１，２−プロパンジオール、１，３−プロパンジオール、１，４−ブタンジオール、ペンタメチレングリコール、ヘキサメチレングリコール、ネオペンチルグリコール、シクロヘキサンジメタノール、１，３−ビス（２−ヒドロキシエトキシ）ベンゼン、ジエチレングリコール又はレソルシノール、ヒドロキノン若しくはビスフェノールＡからなる芳香族ジヒドロキシ化合物の誘導体である請求項１に記載のポリエステルブレンド組成物。
【請求項１１】  前記ジオール成分（ＩＢ）がエチレングリコールである請求項８に記載のポリエステルブレンド組成物。
【請求項１２】  前記ブレンドが更に、トリメチロールプロパン、ペンタエリスリトール、グリセリン、トリメリット酸、トリメシン酸又はピロメリット酸からなる多官能性化合物を含む請求項１に記載のポリエステルブレンド組成物。
【請求項１３】  前記多官能性化合物が、ジオール成分（ＩＢ）の２０モル％以下の濃度で存在する、請求項１１に記載のポリエステルブレンド組成物。
【請求項１４】  前記組成物が、６０：４０フェノール／テトラクロロエタン溶剤中において２５℃で測定する場合に０．４〜２．０のインヘレント粘度を有する請求項１に記載のポリエステルブレンド組成物。
【請求項１５】  前記組成物が、６０：４０フェノール／テトラクロロエタン溶剤中において２５℃で測定する場合に０．５〜１．２のインヘレント粘度を有する請求項１に記載のポリエステルブレンド組成物。
【請求項１６】  請求項１に記載のポリエステルブレンド組成物からなる物品。
【請求項１７】  前記物品が中空物品である請求項１６に記載の物品。
【請求項１８】  前記物品が一軸延伸フィルム又は二軸延伸フィルムである請求項１６に記載の物品。
【請求項１９】  前記物品が缶形状のコンテナー又はトレイである請求項１６に記載の物品。
【請求項２０】  前記物品がボトルである請求項１６に記載の物品。
【請求項２１】  前記物品がフィルム、シート、コンテナー又は包装材料である請求項１６に記載の物品。
【請求項２２】  ５〜８５重量％のポリエステルＩ及び９５〜１５重量％のポリエステルIIをブレンドすることを含んでなるポリエステルブレンドの製造方法であって、該ポリエステルＩが、
（Ａ）（ｉ）式（Ｉ）：
【化２】
2002518536.tif 000002
（式中、Ｒ1 ，Ｒ2 ，Ｒ3 及びＲ4 は、各々独立して、水素原子、炭素数１〜６のアルキル基、炭素数１〜６のアルコキシ基、フェニル基、塩素原子、臭素原子又はフッ素原子を表わす）
によって表わされるフェニレンジ（オキシ酢酸）又は式（Ｉ）のフェニレンジ（オキシ酢酸）のエステル誘導体５〜９９モル％；
（ii）テレフタル酸、イソフタル酸、ナフタレンジカルボン酸、シクロヘキサンジカルボン酸もしくはそれらのエステル、またはそれらの混合物からなる第２の二酸の反復単位１〜９５モル％
を含むジカルボン酸成分の反復単位；及び
（Ｂ）炭素数２４以下のジオールの反復単位
を含んでなり；且つポリエステルIIが、
ポリ（エチレンテレフタレート）の熱可塑性ポリエステル、０超〜７０モル％のジエチレングリコール、プロパンジオール、ブタンジオール、ヘキサンジオール若しくは１，４−シクロヘキサンジメタノールからなるグリコール及び／又はイソフタル酸若しくはナフタレンジカルボン酸からなるジカルボン酸で改質されたポリ（エチレンテレフタレート）のコポリエステル；又はポリ（エチレンテレフタレート）コポリエステルとポリ（エチレンテレフタレート）との混合物；
ポリ（エチレンナフタレート）のポリエステル；
０超〜３０モル％のジエチレングリコール、プロパンジオール、ブタンジオール、ヘキサンジオール若しくは１，４−シクロヘキサンジメタノールからなるグリコール及び／又はイソフタル酸若しくはテレフタル酸からなるジカルボン酸で改質されたポリ（エチレンナフタレート）のコポリエステル；又はポリ（エチレンナフタレート）コポリエステルとポリ（エチレンナフタレート）との混合物；
ポリ（ブチレンテレフタレート）；
ポリ（トリメチレンテレフタレート）；又は
ポリ（ブチレンナフタレート）
を含んでなる方法。
【請求項２３】  前記ブレンド工程を、押出機中で又は射出成形の間に行う請求項２２に記載の方法。
【請求項２４】  前記ブレンド工程を、２４０〜３３０℃の温度で０．４分〜５分間行う請求項２２に記載の方法。
【請求項２５】  酸化防止剤、紫外線吸収剤、蛍光増白剤、離型剤、帯電防止剤、分散剤、再加熱補強助剤、アセトアルデヒド還元剤、ナノ粒子若しくは着色剤又はそれらの混合物などの添加剤を添加することを更に含んでなる請求項２２に記載の方法。
【請求項２６】  請求項２２に記載の方法によって製造されるポリエステルブレンドから製造される物品。
【請求項２７】  前記前記物品が中空品である請求項２６に記載の物品。
【請求項２８】  前記物品が一軸または二軸延伸フィルムである請求項２６に記載の物品。
【請求項２９】  前記物品が缶形コンテナー又はトレイである請求項２６に記載の物品。
【請求項３０】  前記物品がフィルム、シート、コンテナー又は包装材料である請求項２６に記載の物品。
【請求項３１】  前記物品がボトルである請求項２６に記載の物品。